(57)【要約】【課題】  小型化を可能にした光照射ヘッドを提供することを目的とする。【解決手段】  この光照射ヘッド２は、放熱体１４と筐体９との協働によって、ＬＥＤ１０から出る熱の拡散効率を高めるように工夫されている。すなわち、放熱体１４を筐体９内に挿入させ、放熱体１４の表面と筐体９の裏面との接触させることで、ＬＥＤ１０を保護している筐体９の表面を放熱面として有効利用することができるので、放熱面積の拡大を促進することができ、その結果として、放熱体１４及び筐体９の外形を小さくすることができ、このことが、光照射ヘッド２の小型化を可能にしている。さらに、ＬＥＤ１０の裏面に放熱体１４の前端面が接触し、このＬＥＤ１０の各端子１０ａ，１０ｂに対応して接続される一対の導電部２３が、放熱体１４に対し挟み込むように固定されている。これによって、光照射ヘッドが組立て易くなり、コンパクト化にも寄与する。【選択図】  図３
2007067113.tif 000002
【特許請求の範囲】
【請求項１】
筐体内に収容されたＬＥＤを有し、可撓性ケーブルの先端に固定されて利用される光照射ヘッドにおいて、
前記筐体内に挿入されて、表面が前記筐体の裏面に熱連結され、前端面が前記ＬＥＤの裏面に熱連結される放熱体と、
前記筐体内に収容されて、前記放熱体に対し挟み込むように固定されると共に、前記ＬＥＤの一対の端子に接続される一対の導電部とを備えたことを特徴とする光照射ヘッド。
【請求項２】
前記筐体に固定されると共に前記ＬＥＤの前方に配置される集光レンズを更に備えたことを特徴とする請求項１記載の光照射ヘッド。
【請求項３】
前記放熱体は、導電性材料により形成され、前記導電部は、電気絶縁部を介して前記放熱体に固定されていることを特徴とする請求項１又は２記載の光照射ヘッド。
【請求項４】
前記電気絶縁部は絶縁基板であり、この絶縁基板上に導電部が形成されていることを特徴とする請求項３記載の光照射ヘッド。
【請求項５】
前記放熱体の前記表面には、前記絶縁基板を収容する凹部が形成されていることを特徴とする請求項４記載の光照射ヘッド。
【請求項６】
前記放熱体の前記表面には雄ネジ部が形成され、前記筐体の前記裏面には雌ネジ部が形成されていることを特徴とする請求項１〜５のいずれか一項記載の光照射ヘッド。
【請求項７】
前記放熱体の前記表面と前記筐体の前記裏面との間には、熱伝導性のグリースが装填されていることを特徴とする請求項１〜６のいずれか一項記載の光照射ヘッド。
【請求項８】
前記放熱体は、非導電性材料により形成され、前記導電部は、前記放熱体の前記表面に形成された凹部内に配置されていることを特徴とする請求項１記載の光照射ヘッド。
【請求項９】
前記放熱体の前記表面には雄ネジ部が形成され、前記筐体の前記裏面には雌ネジ部が形成されていることを特徴とする請求項８記載の光照射ヘッド。
【請求項１０】
前記放熱体の前記表面と前記筐体の前記裏面との間には、熱伝導性のグリースが装填されていることを特徴とする請求項８又は９記載の光照射ヘッド。
【請求項１１】
筐体内に収容されたＬＥＤを有する光照射ヘッドと、
前記ＬＥＤを駆動する駆動ユニットと、
両端が前記光照射ヘッド及び駆動ユニットに接続されて、前記ＬＥＤに電力を供給する可撓性ケーブルとを有する光照射装置において、
前記光照射ヘッドは、
前記筐体内に挿入されて、表面が前記筐体の裏面に接触し、前端面が前記ＬＥＤの裏面に接触する放熱体と、
前記筐体内に収容されて、前記放熱体に対し挟み込むように固定されると共に、前記ＬＥＤの一対の端子に接続される一対の導電部とを備えたことを特徴とする光照射装置。
【請求項１２】
前記光照射ヘッドは、前記筐体に固定されると共に前記ＬＥＤの前方に配置される集光レンズを更に備えたことを特徴とする請求項１１記載の光照射装置。
【請求項１３】
前記可撓性ケーブルの導電線は、前記光照射ヘッドの前記導電部に接続されていることを特徴とする請求項１１又は１２記載の光照射装置。
【発明の詳細な説明】
【技術分野】
【０００１】
本発明は、特に、ＵＶや可視光などのスポット光源として利用される光照射ヘッド及び光照射装置に関するものである。
【背景技術】
【０００２】
従来、このような分野の技術として、特開２００５−１６２８８０号公報がある。この公報には光照射装置が開示され、この光照射装置に設けられたヘッド部の前端には集光レンズが配置され、集光レンズの後方にはＬＥＤが配置されている。このＬＥＤは、高輝度型であり、多量の熱を発し、この熱を効率良く逃がすことができないと、ＬＥＤの発光効率が落ち、ＬＥＤの寿命を短くすることになる。そこで、ＬＥＤの裏面にアルミ製の冷却ブロックを面接触させ、ＬＥＤからの熱を冷却ブロックを介して外部に排出するようにしている。さらに、この冷却ブロックの後方には、回路基板が配置され、この回路基板は２分割の筐体で挟み込まれ、筐体の前端に冷却ブロックの後端がネジ止めされている。
【０００３】
【特許文献１】特開２００５−１６２８８０号公報
【特許文献２】特開２００４−１１１３７７号公報
【発明の開示】
【発明が解決しようとする課題】
【０００４】
しかしながら、前述した冷却ブロックは外部に露出し、この冷却ブロック単体でＬＥＤの放熱を主として担っているので、ＬＥＤの放熱効率を高めようとすると、冷却ブロックを大型化する必要がある。これによって、光照射装置に設けられたヘッド部が大型化するという問題点がある。また、例えば、小さな部品の接着にＵＶ硬化型接着剤を利用する場合、複数のヘッド部を小さな治具に密集してセッティングする必要があり、ヘッド部の小型化は極めて有益である。
【０００５】
本発明は、小型化を可能にした光照射ヘッド及びこのような光照射ヘッドが設けられた光照射装置を提供することを目的とする。
【課題を解決するための手段】
【０００６】
本発明に係る光照射ヘッドは、筐体内に収容されたＬＥＤを有し、可撓性ケーブルの先端に固定されて利用される光照射ヘッドにおいて、
筐体内に挿入されて、表面が筐体の裏面に熱連結され、前端面がＬＥＤの裏面に熱連結される放熱体と、筐体内に収容されて、放熱体に対し挟み込むように固定されると共に、ＬＥＤの一対の端子に接続される一対の導電部とを備えたことを特徴とする。
【０００７】
この光照射ヘッドは、可撓性ケーブルの先端への固定が予定される部品であり、ＬＥＤから所定の波長の光が出射される。そして、この発明は、放熱体と筐体との協働によって、ＬＥＤから出る熱の拡散効率を高めるように工夫されている。すなわち、放熱体を筐体内に挿入させ、放熱体の表面と筐体の裏面との接触させることで、ＬＥＤを保護している筐体の表面を放熱面として有効利用することができるので、放熱面積の拡大を促進することができ、その結果として、放熱体及び筐体の外形を小さくすることができ、このことが、光照射ヘッドの小型化を可能にしている。さらに、ＬＥＤの裏面に放熱体の前端面が接触し、このＬＥＤの各端子に対応して接続される一対の導電部が、放熱体に対し挟み込むように固定されている。これによって、光照射ヘッドが組立て易くなり、コンパクト化にも寄与する。
【０００８】
筐体に固定されると共にＬＥＤの前方に配置される集光レンズを更に備えると好適である。この集光レンズによって、ＬＥＤの光を対象物に効率よく集光させることができる。
【０００９】
また、放熱体は、導電性材料により形成され、導電部は、電気絶縁部を介して放熱体に固定されていると好適である。このような構成は、放熱体にアルミなどの導電性材料を利用する場合に最適である。
【００１０】
また、電気絶縁部は絶縁基板であり、この絶縁基板上に導電部が形成されていると好適である。導電部が形成された絶縁基板を利用することで、光照射ヘッドの組立て時において、導電性の放熱体に絶縁基板をネジや接着剤などで固定するだけの簡単な作業が可能になる。
【００１１】
また、放熱体の表面には、絶縁基板を収容する凹部が形成されていると好適である。このような構成を採用すると、光照射ヘッドの組立て時において、放熱体の凹部内に絶縁基板を嵌め込むだけでよく、放熱体に絶縁基板を装着する際の作業性を良好にし、しかも、絶縁基板の位置決めが確実になる。
【００１２】
また、放熱体の表面には雄ネジ部が形成され、筐体の裏面には雌ネジ部が形成されていると好適である。このような構成によって、筐体内に放熱体をネジ込むことを可能にする。従って、筐体内で放熱体の固定を容易にする。しかも、ネジ結合の採用によって、放熱体の表面と筐体の裏面との接触面積を格段に大きくすることができ、これによって、放熱効果を格段に促進することができ、その結果として、放熱体及び筐体の外形を非常に小さくすることができ、このことは、光照射ヘッドの小型化の促進に極めて有益である。
【００１３】
また、放熱体の表面と筐体の裏面との間には、熱伝導性のグリースが装填されていると好適である。このような構成によって、放熱体から筐体に効率良く熱を伝達することができ、これによっても、放熱効果を格段に促進することができ、光照射ヘッドの小型化の促進に極めて有益である。
【００１４】
また、放熱体は、非導電性材料により形成され、導電部は、放熱体の表面に形成された凹部内に配置されていると好適である。このような構成は、放熱体にセラミックなどの非導電性材料を利用する場合に最適である。
【００１５】
また、放熱体の表面には雄ネジ部が形成され、筐体の裏面には雌ネジ部が形成されていると好適である。このような構成によって、筐体内に放熱体をネジ込むことを可能にする。従って、筐体内で放熱体の固定を容易にする。しかも、ネジ結合の採用によって、放熱体の表面と筐体の裏面との接触面積を格段に大きくすることができ、これによって、放熱効果を格段に促進することができ、その結果として、放熱体及び筐体の外形を非常に小さくすることができ、このことは、光照射ヘッドの小型化の促進に極めて有益である。
【００１６】
また、放熱体の表面と筐体の裏面との間には、熱伝導性のグリースが装填されていると好適である。このような構成によって、放熱体から筐体に効率良く熱を伝達することができ、これによっても、放熱効果を格段に促進することができ、光照射ヘッドの小型化の促進に極めて有益である。
【００１７】
本発明に係る光照射装置は、筐体内に収容されたＬＥＤを有する光照射ヘッドと、ＬＥＤを駆動する駆動ユニットと、両端が光照射ヘッド及び駆動ユニットに接続されて、ＬＥＤに電力を供給する可撓性ケーブルとを有する光照射装置において、
光照射ヘッドは、筐体内に挿入されて、表面が筐体の裏面に接触し、前端面がＬＥＤの裏面に接触する放熱体と、筐体内に収容されて、放熱体に対し側方から挟み込むように固定されると共に、ＬＥＤの一対の端子に接続される一対の導電部とを備えたことを特徴とする。
【００１８】
この光照射装置に設けられた光照射ヘッドは、可撓性ケーブルの先端への固定が予定される部品であり、ＬＥＤから所定の波長の光が出射される。そして、この発明は、放熱体と筐体との協働によって、ＬＥＤから出る熱の拡散効率を高めるように工夫されている。すなわち、放熱体を筐体内に挿入することで、放熱体の表面と筐体の裏面との接触面積を大きくすることができ、これによって、放熱効果を促進することができ、その結果として、放熱体及び筐体の外形を小さくすることができ、このことが、光照射ヘッドの小型化を可能にしている。さらに、ＬＥＤの裏面に放熱体の前端面が接触し、このＬＥＤの各端子に対応して接続される一対の導電部が、放熱体に対し挟み込むように固定されている。これによって、光照射ヘッドが組立て易くなり、コンパクト化にも寄与する。
【００１９】
光照射ヘッドは、筐体に固定されると共にＬＥＤの前方に配置される集光レンズを更に備えると好適である。この集光レンズによって、ＬＥＤの光を対象物に効率よく集光させることができる。
【００２０】
また、可撓性ケーブルの導電線は、光照射ヘッドの導電部に接続されていると好適である。これによって、可撓性ケーブルを介して駆動ユニットとＬＥＤの端子との導通が図られる。
【発明の効果】
【００２１】
本発明によれば、光照射ヘッドの小型化が可能になる。
【発明を実施するための最良の形態】
【００２２】
以下、図面を参照しつつ本発明に係る光照射ヘッド及び光照射装置の好適な実施形態について詳細に説明する。
【００２３】
図１に示すように、光照射装置１は、対象物に紫外線（ＵＶ）をスポット的に照射するための装置であり、光通信部品の接着、光ピックアップ部品の接着、磁気ヘッドの接着、CCDの接着、電子部品の固定、ファイバ被覆の硬化、液晶のシーリング、コイル巻線の固定、ＵＶインクの乾燥、ＵＶ励起用光源、及び強力紫外線照射実験などに利用することができる。
【００２４】
この光照射装置１は、ＬＥＤ及び集光レンズをもった光照射ヘッド２と、光照射ヘッド２内のＬＥＤを駆動する駆動ユニット３と、両端が光照射ヘッド２及び駆動ユニット３に接続されて、ＬＥＤに電力を供給する可撓性ケーブル４とから主として構成されている。駆動ユニット３は、直方体をなす金属製のハウジング５を有し、このハウジング５内には、ＬＥＤ駆動制御回路及び電源回路などが収容され、ハウジング５の前面には、操作パネル６が設けられている。さらに、この駆動ユニット３には、４本の光照射ヘッド２の装着が可能であり、各可撓性ケーブル４の基端にはプラグ４ａが設けられ、このプラグ４ａによって、駆動ユニット３に対する各可撓性ケーブル４の着脱を可能にしている。
【００２５】
次に、このような光照射装置１に適用される光照射ヘッドの様々な実施形態について説明する。
【００２６】
［光照射ヘッドに係る第１の実施形態］
この実施形態で利用されるＬＥＤ１０は、図２に示すように、紫外発光チップ型であり、高出力の紫外線を発生する。そして、このＬＥＤ１０の裏面（光出射面１０ｄと反対側の面）の両端には、平行に延在するカソード端子１０ａ及びアノード端子１０ｂが設けられ、裏面において、カソード端子１０ａとアノード端子１０ｂとの間には、矩形の放熱面１０ｃが設けられている。この高出力型紫外線ＬＥＤ１０は、多量の熱を発生し、ＬＥＤ１０の出力低下や寿命低下を防止するために、ＬＥＤ１０の裏面に金属放熱面１０ｃが設けられている。
【００２７】
図３〜図５に示すように、光照射ヘッド２は、両端が開放されて筐体９の一部をなす円筒状の第１の筐体１１を有し、直径１０ｍｍ、長さ３０ｍｍ程度の外形をもった第１の筐体１１は、放熱効果や軽量化を考慮して導電性のアルミによって形成されている。さらに、第１の筐体１１の裏面（内壁面）には、全長に亘って雌ネジ部１１ａが形成され、この雌ネジ部１１ａの前端には、直径１０ｍｍ、長さ１５ｍｍ程度の外形をもった第２の筐体１２が螺着される。この第２の筐体１２は、筐体９の他方をなすと共に、両端が開放された円筒状のアルミによって形成され、第２の筐体１２の後端には、第１の筐体１１の雌ネジ部１１ａにねじ込まれる雄ネジ部１２ａが形成され、第２の筐体１２には集光レンズ１３が固定され、集光レンズ１３は、ＬＥＤ１０の前方（ＬＥＤ１０の光出射方向側）に配置されている。このように、光照射ヘッド２の筐体９を、ネジ結合をもって２分割可能な構造にすることで、集光レンズ１３の交換が容易になる。
【００２８】
さらに、第１の筐体１１内には、導電性のアルミからなる放熱体１４が挿入され、放熱体１４の表面には、第１の筐体１１の雌ネジ部１１ａに螺合する雄ネジ部１４ａが形成されている。この放熱体１４の前端には、ＬＥＤ１０を収容するための凹部１４ｂが形成されると共に、ＬＥＤ１０の位置決めに利用される一対の突部１４ｈが設けられている。放熱体１４の両側部には、長手方向に延在する凹部１４ｃ，１４ｄが設けられ、凹部１４ｃと凹部１４ｄとは対向し、凹部１４ｃと凹部１４ｄとの境界部分は、放熱体１４の中央で長手方向に延在する仕切壁１４ｅとして形成されている。
【００２９】
放熱体１４において、仕切壁１４ｅの後方には、可撓性ケーブル４の端部の差込みが可能な貫通孔１４ｆが形成されている。そして、貫通孔１４ｆを形成する内壁面には、ケーブル４の端部に設けられたケーブルクランプ１６の雄ネジ部１６ａに螺合する雌ネジ部１４ｇが形成されている。
【００３０】
放熱体１４の表面に形成された各凹部１４ｃ，１４ｄは、電気絶縁性を有する矩形の絶縁基板（電気絶縁部）１７，１８が嵌り込んで位置決めされる大きさを有し、絶縁基板１７，１８は、止めネジ１９，２０が仕切壁１４ｅのネジ孔２１，２２内にねじ込まれることで、放熱体１４に固定される。このとき、左右の絶縁基板１７，１８の裏面は、仕切壁１４ｅの表面に密着し、絶縁基板１７と絶縁基板１８とは放熱体１４内で仕切壁１４ｅを挟むようにして平行に配置される。そして、光照射ヘッドの組立て時においては、放熱体１４の凹部１４ｃ，１４ｄ内に絶縁基板１７，１８を嵌め込むだけでよく、放熱体１４に絶縁基板１７，１８を装着する際の作業性を良好にし、しかも、絶縁基板１７，１８の位置決めが確実になる。
【００３１】
同一形状をなす各絶縁基板１７，１８の裏面側は、仕切壁１４ｅの表面に密着できるように平坦に形成され、各絶縁基板１７，１８の表（おもて）面側には、略全面に渡って導電部２３，２４が蒸着され、この導電部２３の一部を露出させるように、導電部２３，２４上に絶縁膜２６，２７が設けられている（図６参照）。このような構成の絶縁基板１７，１８には、ＬＥＤ１０のカソード端子１０ａ及びアノード端子１０ｂにハンダ付けされる前側導電部２３ａ，２４ａと、ケーブル４の各導電線４ａ，４ｂにハンダ付けされる後側導電部２３ｂ，２４ｂとが設けられている。このようにして、絶縁基板１７上の導電部２３と絶縁基板１８上の導電部２４とで一対をなし、一対の導電部２３，２４は、放熱体１４に対し側方（ＬＥＤ１０の光軸に対して略垂直な方向）から挟み込むように固定される。導電部２３，２４が形成された絶縁基板１７，１８を利用することで、光照射ヘッド２の組立て時において、導電性の放熱体１４に絶縁基板１７，１８をネジや接着剤などで簡単に固定することができる。
【００３２】
さらに、図６に示すように、仕切壁１４ｅの厚みはＬＥＤ１０の放熱面１０ｃの幅に略対応しているので、放熱体１４の凹部１４ｃ，１４ｄ内に嵌め込まれた各絶縁基板１７，１８の端部は、ＬＥＤ１０のカソード端子１０ａ及びアノード端子１０ｂを露出させるように位置し、これによって、端子１０ａ，１０ｂと前側導電部２３ａ，２４ａとの半田付けを可能にする。また、ケーブル４の各導電線４ａ，４ｂと後側導電部２３ｂ，２４ｂとのハンダ付けを可能にする。このハンダ付けにあたって、ＬＥＤ１０の放熱面１０ｃが放熱体１４の前端面Ａすなわち仕切壁１４ｅの前端面Ａに当接するので、ＬＥＤ１０から発する熱が放熱体１４に適切に伝えられる。そして、この熱は、ネジ結合されている放熱体１４から第１の筐体１１に伝達されて外部に放出される。また、ＬＥＤ１０の端子１０ａ，１０ｂと絶縁基板１７，１８上の前側導電部２３ａ，２４ａとを半田付けすることによって、ＬＥＤ１０の熱を絶縁基板１７，１８に逃がすことができ、この熱は放熱体１４を介して第１の筐体１１に伝達されて外部に放出される。
【００３３】
このように、放熱体１４と筐体１１との協働によって、ＬＥＤ１０から出る熱の拡散効率を高めるように工夫されている。すなわち、放熱体１４を筐体１１内に挿入させ、放熱体１４の表面と筐体１１の裏面との接触させることで、ＬＥＤ１０を保護している筐体１１の表面を放熱面として有効利用することができるので、放熱面積の拡大を促進することができ、その結果として、放熱体１４及び筐体１１の外形を小さくすることができ、このことが、光照射ヘッド２の小型化を可能にしている。さらに、ＬＥＤ１０の裏面に放熱体１４の前端面Ａが接触し、このＬＥＤ１０の各端子１０ａ，１０ｂに対応して接続される一対の導電部２３，２４が、放熱体１４に対し側方から挟み込むように固定されている。これによって、光照射ヘッド２が組立て易くなり、コンパクト化にも寄与する。
【００３４】
さらに、第１の筐体１１内に放熱体１４をネジ込むことを可能にしているので、筐体１１に対する放熱体１４の固定を容易にする。しかも、ネジ結合の採用によって、放熱体１４の表面と筐体１１の裏面との接触面積を格段に大きくすることができ、これによって、放熱効果を格段に促進することができ、その結果として、放熱体１４及び筐体１１の外形を非常に小さくすることができ、このことは、光照射ヘッド２の小型化の促進に極めて有益である。
【００３５】
組立て時に、第１の筐体１１と放熱体１４とをネジ結合させるにあたって、放熱体１４の表面と筐体１１の裏面との間に熱伝導性のグリースが装填されている好適である。このグリースによって、放熱体１４から筐体１１に効率良く熱を伝達することができ、放熱効果を格段に促進することができ、光照射ヘッド２の小型化の促進に極めて有益である。また、ＬＥＤ１０の放熱面１０ｃと放熱体１４の前端面Ａとを当接させる際に、熱伝導性のグリースを利用すると好適である。さらに、放熱体１４の各凹部１４ｃ，１４ｄ内に熱伝導性のグリースを充填して隙間を埋めることによって、絶縁基板１７，１８と筐体１１とを熱的に連結させてもよい。
【００３６】
次に、第１の実施形態の変形例について説明する。図７及び図８に示すように、光照射ヘッド３０は、アルミからなる短い放熱体３１を有し、短い絶縁基板３２，３３上に導電部３４，３５が設けられている。そして、各絶縁基板３２，３３は、放熱体３１の凹部３１ｃ，３１ｄ内に装填され、仕切壁３１ｅの壁面に接着剤によって固定されている。光照射ヘッド３０のこれ以外の構成については、光照射ヘッド２と同一又は同等であるので、図面に同一符合を付し、その説明は省略する。
【００３７】
［光照射ヘッドに係る第２の実施形態］
この実施形態で利用されるＬＥＤ４０は、図９に示すように、紫外発光チップ型であり、高出力の紫外線を発生する。そして、このＬＥＤ４０の裏面の両端には、カソード端子４０ａ及びアノード端子４０ｂが設けられ、裏面において、端子４０ａ，４０ｂを取り囲むように、Ｈ形の放熱面４０ｃが設けられている。このＬＥＤ４０は、放熱面４０ｃの大型化が図られている。
【００３８】
第２の実施形態に係る光照射ヘッド４２は、図１０〜図１２に示すように、ＬＥＤ４０の裏面のカソード端子４０ａ及びアノード端子４０ｂの大きさに対応するように、幅の狭い絶縁基板４３，４４を有している。さらに、アルミ製の放熱体４５には、絶縁基板４３，４４の幅に対応する凹部４５ｃ，４５ｄが設けられると共に、幅の大きな仕切壁４５ｅが設けられている。大きな幅の仕切壁４５ｅによって、ＬＥＤ４０から放熱体４５への熱伝達効率を高めている。また、２本の止めネジ４６，４７によって、左右の絶縁基板４３，４４は、仕切壁４５ｅに固定される。なお、光照射ヘッド４２のこれ以外の構成については、光照射ヘッド２と同一又は同等であるので、図面に同一符合を付し、その説明は省略する。
【００３９】
［光照射ヘッドに係る第３の実施形態］
この実施形態で利用されるＬＥＤ５０は、図１３に示すように、紫外発光チップ型であり、高出力の紫外線を発生する。そして、このＬＥＤ５０の裏面の略全域には、放熱面５０ｃが設けられ、ＬＥＤ５０の両側面には、カソード端子５０ａ及びアノード端子５０ｂが設けられている。このＬＥＤ５０は、放熱面５０ｃの大型化が図られている。
【００４０】
第３実施形態に係る光照射ヘッド５２のアルミ製放熱体５５には、図１４〜図１６に示すように、大形の放熱面５０ｃに対応するように、幅の大きな仕切壁５５ｅが設けられている。この仕切壁５５ｅには、前述した絶縁基板１７，１８が止めネジ１９，２０によって固定される。このとき、絶縁基板１７，１８の前側導電部２３ａ，２４ａの表面とＬＥＤ５０の端子５０ａ，５０ｂとが面一になるので、ハンダ作業が容易になる。そして、大きな幅の仕切壁５５ｅの採用によって、ＬＥＤ５０から放熱体５５への熱伝達効率を高めている。なお、光照射ヘッド５２において、光照射ヘッド２と同一又は同等な構成については、図面に同一符合を付し、その説明は省略する。
【００４１】
［光照射ヘッドに係る第４の実施形態］
この実施形態で利用されるＬＥＤ６０は、図１７に示すように、紫外発光リード型であり、高出力の紫外線を発生する。そして、このＬＥＤ６０の裏面の略全域には、放熱面６０ｃが設けられ、ＬＥＤ６０の両側面には、リード状のカソード端子６０ａ及びアノード端子６０ｂの基端が固定されている。このＬＥＤ６０は、放熱面６０ｃの大型化が図られている。なお、図１８〜図２０に示された第４実施形態に係る光照射ヘッド６２は、図１４〜図１６に示された光照射ヘッド５２とＬＥＤ以外同じなので、同一又は同等な構成については、図面に同一符合を付し、その説明は省略する。
【００４２】
［光照射ヘッドに係る第５の実施形態］
この実施形態で利用されるＬＥＤ１０は、図２に示すように、紫外発光チップ型であり、高出力の紫外線を発生する。そして、このＬＥＤ１０の裏面の両端には、平行に延在するカソード端子１０ａ及びアノード端子１０ｂが設けられ、裏面において、カソード端子１０ａとアノード端子１０ｂとの間には、矩形の放熱面１０ｃが設けられている。
【００４３】
第５の実施形態に係る光照射ヘッド７２は、図２１〜図２３に示すように、セラミックからなる非導電性の放熱体７５を有している。この放熱体７５の外周には、雄ネジ部７５ａが形成され、放熱体７５の両側面に形成された凹部７５ｃ，７５ｄ内に導電材（金、銀、銅など）がメタライズされることで、放熱体７５に導電部７６，７７が一体的に設けられる。さらに、仕切壁７５ｅの前端には、ＬＥＤ１０の放熱面１０ｃとのハンダ付けを可能にする金属面７５ｆが設けられている。そして、リフローハンダによって、ＬＥＤ１０のカソード端子１０ａ及びアノード端子１０ｂが導電部７６，７７の端面に固定され、ＬＥＤ１０の放熱面１０ｃが放熱体７５の金属面７５ｆに固定される。このように、セラミックからなる非導電性の放熱体７５を採用することで、絶縁基板を必要とせず、光照射ヘッド７２は、その構成が簡素化される。
【００４４】
さらに、第１の筐体１１の後端には、アルミ製の円筒状連結部材８０が螺着され、連結部材８０の前部には、第１の筐体１１の雌ネジ部１１ａに螺合する雄ネジ部８０ａが設けられ、連結部材８０の後部には、ケーブルクランプ１６の雄ネジ部１６ａに螺合する雌ネジ部８０ｂが形成されている。なお、光照射ヘッド７２において、光照射ヘッド２と同一又は同等な構成については、図面に同一符合を付し、その説明は省略する。
【００４５】
本発明は、前述した実施形態に限定されないことは言うまでもない。例えば、紫外線を発生するＬＥＤに代えて、可視光を発するＬＥＤを利用してもよい。放熱体に絶縁基板を固定するにあたって、止めネジか又は接着剤の何れであってもよい。また、筐体内に放熱体を圧入してもよい。また、筐体の前端に、紫外線を透過する板材が固定されていてもよい。
【図面の簡単な説明】
【００４６】
【図１】本発明に係る光照射装置の一実施形態を示す斜視図である。
【図２】ＬＥＤを示す斜視図である。
【図３】本発明に係る光照射ヘッドの第１の実施形態を示す分解斜視図である。
【図４】図３に示した光照射ヘッドの断面図である。
【図５】放熱体に取付られた絶縁基板上の導電部にケーブル及びＬＥＤを接続した状態を示す側面図である。
【図６】図３に示した光照射ヘッドの要部拡大断面図である。
【図７】図３に示した光照射ヘッドの変形例を示す分解斜視図である。
【図８】図７に示した光照射ヘッドの要部拡大断面図である。
【図９】ＬＥＤを示す斜視図である。
【図１０】本発明に係る光照射ヘッドの第２の実施形態を示す分解斜視図である。
【図１１】図１０に示した光照射ヘッドの断面図である。
【図１２】図１０に示した光照射ヘッドの要部拡大断面図である。
【図１３】ＬＥＤを示す斜視図である。
【図１４】本発明に係る光照射ヘッドの第３の実施形態を示す分解斜視図である。
【図１５】図１４に示した光照射ヘッドの断面図である。
【図１６】図１４に示した光照射ヘッドの要部拡大断面図である。
【図１７】ＬＥＤを示す斜視図である。
【図１８】本発明に係る光照射ヘッドの第４の実施形態を示す分解斜視図である。
【図１９】図１８に示した光照射ヘッドの断面図である。
【図２０】図１８に示した光照射ヘッドの要部拡大断面図である。
【図２１】本発明に係る光照射ヘッドの第５の実施形態を示す分解斜視図である。
【図２２】図２１に示した光照射ヘッドの断面図である。
【図２３】図２１に示した光照射ヘッドの要部拡大断面図である。
【符号の説明】
【００４７】
１…光照射装置、２，３０，４２，５２，６２，７２…光照射ヘッド、３…駆動ユニット、４…可撓性ケーブル、４ａ，４ｂ…ケーブルの導電線、１０，４０，５０，６０…ＬＥＤ、１０ａ，１０ｂ，４０ａ，４０ｂ，５０ａ，５０ｂ…ＬＥＤの端子、９…筐体、１１…第１の筐体、１２…第２の筐体、１１ａ…雌ネジ部、１３…集光レンズ、１４，３１，４５，５５，７５…放熱体、１４ａ，７５ａ…雄ネジ部、１４ｃ，１４ｄ，７５ｃ，７５ｄ…凹部、１７，１８，３２，３３，４３，４４…絶縁基板（電気絶縁部）、２３，２４，７６，７７…導電部、Ａ…放熱体の前端面。
【図１】
2007067113.tif 000003
【図２】
2007067113.tif 000004
【図３】
2007067113.tif 000005
【図４】
2007067113.tif 000006
【図５】
2007067113.tif 000007
【図６】
2007067113.tif 000008
【図７】
2007067113.tif 000009
【図８】
2007067113.tif 000010
【図９】
2007067113.tif 000011
【図１０】
2007067113.tif 000012
【図１１】
2007067113.tif 000013
【図１２】
2007067113.tif 000014
【図１３】
2007067113.tif 000015
【図１４】
2007067113.tif 000016
【図１５】
2007067113.tif 000017
【図１６】
2007067113.tif 000018
【図１７】
2007067113.tif 000019
【図１８】
2007067113.tif 000020
【図１９】
2007067113.tif 000021
【図２０】
2007067113.tif 000022
【図２１】
2007067113.tif 000023
【図２２】
2007067113.tif 000024
【図２３】
2007067113.tif 000025